(57)【要約】【課題】表示画像におけるホワイトバランスの経時変化を抑制する。【解決手段】表示装置１０は、その駆動時間を積算する積算手段と、所定の階調におけるホワイトバランス調整値と駆動時間との間の予め定められた対応関係に基づいて当該所定の階調におけるホワイトバランス調整値を導出する導出手段と、上記表示部に表示する画像の階調値を、上記導出手段によって導出されたホワイトバランス調整値を用いて調整する調整手段とを備えている。【選択図】図１
2013210564.tif 000002
【特許請求の範囲】
【請求項１】
表示部に画像を表示する表示装置であって、
当該表示装置の駆動時間を積算する積算手段と、
所定の階調におけるホワイトバランス調整値と駆動時間との間の予め定められた対応関係に基づいて、当該表示装置の駆動時間から、当該所定の階調におけるホワイトバランス調整値を導出する導出手段と、
上記表示部に表示する画像の画像信号の階調値を、上記導出手段によって導出されたホワイトバランス調整値を用いて調整する調整手段と、
を備えていることを特徴とする表示装置。
【請求項２】
上記導出手段は、上記所定の階調におけるホワイトバランス調整値を、予め定められた各係数を有する多項式であって上記駆動時間を変数とする多項式を用いて導出する、
ことを特徴とする請求項１に記載の表示装置。
【請求項３】
上記多項式は二次の多項式であることを特徴とする請求項２に記載の表示装置。
【請求項４】
上記導出手段は、当該表示装置の駆動時間が上記多項式の極値に対応する時間を越えている場合、当該極値をホワイトバランス調整値として導出する、
ことを特徴とする請求項２または３に記載の表示装置。
【請求項５】
上記導出手段は、予め定められた複数の階調の各々について予め定められた対応関係に基づいて、当該表示装置の駆動時間から、当該複数の階調の各々についてのホワイトバランス調整値を導出する、
ことを特徴とする請求項１から４のいずれか一項に記載の表示装置。
【請求項６】
上記表示部は、バックライトを備えており、
上記積算手段は、当該表示装置の駆動時間として、上記バックライトの点灯時間を積算するものである、
ことを特徴とする請求項１から５に記載の表示装置。
【請求項７】
上記バックライトは、点灯及び消灯を制御する制御信号によって駆動されるものであり、
上記積算手段は、当該表示装置の駆動時間として、上記制御信号が上記バックライトの点灯を指示している期間を積算するものである、
ことを特徴とする請求項６に記載の表示装置。
【請求項８】
請求項１から７のいずれか１項に記載の表示装置を備えていることを特徴とするテレビジョン受像機。
【請求項９】
請求項１から７に記載の表示装置が備えている各手段としてコンピュータを動作させるためのプログラム。
【請求項１０】
請求項９に記載のプログラムを記録しているコンピュータ読み取り可能な記録媒体。
【請求項１１】
表示部に画像を表示する表示装置のホワイトバランス調整方法であって、
上記表示装置の駆動時間を積算する積算工程と、
所定の階調におけるホワイトバランス調整値と駆動時間との間の予め定められた対応関係に基づいて、上記表示装置の駆動時間から、当該所定の階調におけるホワイトバランス調整値を導出する導出工程と、
上記表示部に表示する画像の画像信号の階調値を、上記導出工程にて導出されたホワイトバランス調整値を用いて調整する調整工程と、
を含んでいることを特徴とするホワイトバランス調整方法。
【請求項１２】
請求項１から７の何れか１項に記載の表示装置を製造する製造方法であって、
試験用表示装置が表示する画像のホワイトバランスの経時変化に基づいて、所定の階調におけるホワイトバランス調整値と駆動時間との間の対応関係を決定する決定工程と、
上記決定工程にて決定された対応関係を、上記表示装置に記憶させる工程と、
を含んでいることを特徴とする製造方法。
【発明の詳細な説明】
【技術分野】
【０００１】
本発明は、映像または画像を表示する表示装置、ホワイトバランス調整方法に関する。
【背景技術】
【０００２】
現在、液晶モジュールを備える表示装置は幅広い分野において使用されている。液晶モジュールが備える主な部材として、液晶パネル、バックライトおよび複数の光学シートが挙げられる。液晶パネルは、複数の画素を備えており、それぞれの画素は異なる色を透過する複数のサブ画素を備えている。液晶パネルは、入力される映像または画像を表す信号に応じて、各サブ画素が有する光透過率を制御する。バックライトは、液晶モジュールにおける光源であり、液晶パネルに白色光を照射する。複数の光学シートは、液晶モジュールの視野角特性を向上させたり、正面方向の輝度を向上させたりするために設けられている光拡散シートおよびレンズシートなどである。
【０００３】
このような表示装置は、工場から出荷される際に、製造者が設計段階において意図した表示品位となるように調整される。しかし、表示装置が備える各部材は、使用時間が増すとともに、その光学特性が変化するという傾向がある。これらの変化は、結果的に表示装置が表示する映像の変色、または、表示品位の劣化の原因となる。
【０００４】
経時変化に伴う変色を補正するために、例えば、表示装置が備える検出手段がバックライトの輝度を測定し、測定した輝度が所定の値から変化している場合に、バックライトのＲＧＢ各色の輝度を調整することによって変色を補正する技術が知られている。
【０００５】
また、特許文献１には、テレビジョン受像機などの表示機器において、工場出荷時の初期調整状態からの経時変化に起因する輝度低下、および、色調変化などを補正して画質を調整する技術が記載されている。
【先行技術文献】
【特許文献】
【０００６】
【特許文献１】特開２００７−１５６１５７号公報（２００７年６月２１日公開）
【発明の概要】
【発明が解決しようとする課題】
【０００７】
しかし、バックライトの輝度を測定する上記従来技術では、バックライトの輝度変化を測定するために、検出手段である輝度センサーまたは照度センサーを表示装置に設置する必要がある。このため、上記の技術では表示装置の製造コストが増加する。また、表示装置内に検出手段を設置するスペースを要するため、表示装置の省スペース化を図ることが難しい。
【０００８】
また、特許文献１に記載の技術は、事前に変色を補正する画質調整値をメモリに格納しておき、バックライトの点灯時間に応じて、当該バックライトの輝度・色温度を自動的に調整するものであるが、バックライトの色温度を調整する詳細な方法については述べられていない。また、バックライト自体のＲＧＢバランスや強度を変えるためには、ＲＧＢが独立して強度を変えることのできるバックライトが必要である。このため、特許文献１に記載の技術は、単色バックライトを備える表示装置には適用することができない。
【０００９】
本発明は、上記の課題を鑑みてなされたものであり、その目的は、製造コストを抑制しつつ、単色バックライトを備える構成であっても製造後の経時変化に伴うホワイトバラン
スの変化を自動的に補正することのできる表示装置を実現することにある。
【課題を解決するための手段】
【００１０】
本発明の一態様に係る表示装置は、上記の課題を解決するために、表示部に画像を表示する表示装置であって、当該表示装置の駆動時間を積算する積算手段と、所定の階調におけるホワイトバランス調整値と駆動時間との間の予め定められた対応関係に基づいて、当該表示装置の駆動時間から、当該所定の階調におけるホワイトバランス調整値を導出する導出手段と、上記表示部に表示する画像の画像信号の階調値を、上記導出手段によって導出されたホワイトバランス調整値を用いて調整する調整手段と、を備えている。
【００１１】
上記のように構成された本発明の一態様に係る表示装置によれば、上記導出手段は、予め定められた当該表示装置の駆動時間と、所定の階調におけるホワイトバランス調整値との対応関係に基づいて当該所定の階調におけるホワイトバランス調整値を導出し、調整手段は、上記表示部に表示する画像の画像信号の階調値を、上記導出手段によって導出されたホワイトバランス調整値を用いて調整する。
【００１２】
このように、上記の構成では、上記ホワイトバランス調整値を用いて、画像信号の階調値を自動的に調整するので、当該表示装置が、単色バックライトを備える場合であっても、多色バックライトを備える場合であってもホワイトバランスの調整を適切に行うことができる。また、バックライトの輝度変化を測定するための構成が不要であるため、製造コストが抑制される。
【００１３】
また、本発明の一態様に係る表示装置において、上記導出手段は、上記所定の階調におけるホワイトバランス調整値を、予め定められた各係数を有する多項式であって上記駆動時間を変数とする多項式を用いて導出することが好ましい。
【００１４】
上記の構成において、上記導出手段は、駆動時間をインプットとして、上記多項式を用いてホワイトバランス調整値を導出するので、任意の時間に対応するホワイトバランス調整値を導出することができる。
【００１５】
また、各係数をメモリに記憶させておく場合にも、容量の大きなメモリを必要としないので、コストが抑制される。
【００１６】
また、本発明の一態様に係る表示装置において、上記多項式は二次の多項式であることが好ましい。
【００１７】
上記の構成によれば、二次の多項式を用いることによって、上記ホワイトバランス調整値の上記駆動時間に対する依存性を精度良く近似することが可能である。また、二次の多項式における係数は、０次の項を含めても３つと少ない。したがって、上記導出手段は、負荷の重い処理を実行することなく、上記ホワイトバランス調整値を精度良く導出可能である。また、各係数をメモリに記憶させておく場合にも、容量の大きなメモリを必要としないので、コストがさらに抑制される。
【００１８】
また、本発明の一態様に係る表示装置において、上記導出手段は、当該表示装置の駆動時間が上記多項式の極値に対応する時間を越えている場合、当該極値をホワイトバランス調整値として導出することが好ましい。
【００１９】
上記の構成によれば、本発明の一態様に係る表示装置は、上記駆動時間が、上記多項式の極値に対応する時間を超えた際でも、上記導出手段は、上記ホワイトバランス調整値を適切に定めることができる。
【００２０】
また、本発明の一態様に係る表示装置において、上記導出手段は、予め定められた複数の階調の各々について予め定められた対応関係に基づいて、当該表示装置の駆動時間から、当該複数の階調の各々についてのホワイトバランス調整値を導出することが好ましい。
【００２１】
上記の構成によれば、本発明の一態様に係る表示装置は、複数の階調の各々について予め定められた対応関係に基づいてホワイトバランス調整値を導出し、適切なホワイトバランス調整を行うことが可能である。さらに、導出された複数の階調におけるホワイトバランス階調値を線形補完することによって、所定の階調以外の階調におけるホワイトバランス調整値を導出し、ホワイトバランス調整を行うことが可能である。
【００２２】
また、本発明の一態様に係る表示装置において、上記表示部は、バックライトを備えており、上記積算手段は、当該表示装置の駆動時間として、上記バックライトの点灯時間を積算するものであることが好ましい。
【００２３】
上記の構成によれば、上記積算手段は、当該表示装置の駆動時間として、上記バックライトの点灯時間を積算する。上記表示部が表示する画像のホワイトバランスの経時変化は、主としてバックライトの点灯時間に依存している。上記積算手段が、上記バックライトの点灯時間を積算することによって、上記導出部は適切な上記ホワイトバランス調整値を導出することが可能である。
【００２４】
また、本発明の一態様に係る表示装置において、上記バックライトは、点灯及び消灯を制御する制御信号によって駆動されるものであり、上記積算手段は、当該表示装置の駆動時間として、上記制御信号が上記バックライトの点灯を指示している期間を積算するものであることが好ましい。
【００２５】
上記の構成によれば、上記バックライトは、点灯及び消灯を制御する制御信号によって駆動される。そして、上記積算手段は、上記制御信号が上記バックライトの点灯を指示している期間を上記表示装置の駆動時間として積算する。これにより、上記導出部は適切な上記ホワイトバランス調整値を導出することが可能である。
【００２６】
また、本発明の一態様に係るテレビジョン受像機は、本発明の一態様に係る表示装置を備えていることが好ましい。
【００２７】
上記の構成によれば、本発明の一態様に係るテレビジョン受像機は、本発明の一態様に係る表示装置と同様の効果を奏する。
【００２８】
また、本発明の一態様に係る表示装置が備えている各手段としてコンピュータを動作させるためのプログラム、および、それらのプログラムを記録したコンピュータ読み取り可能な記録媒体についても本発明の範疇に含まれる。
【００２９】
本発明の一態様に係るホワイトバランス調整方法は、表示部に画像を表示する表示装置のホワイトバランス調整方法であって、上記表示装置の駆動時間を積算する積算工程と、所定の階調におけるホワイトバランス調整値と駆動時間との間の予め定められた対応関係に基づいて、上記表示装置の駆動時間から、当該所定の階調におけるホワイトバランス調整値を導出する導出工程と、上記表示部に表示する画像の画像信号の階調値を、上記導出工程にて導出されたホワイトバランス調整値を用いて調整する調整工程と、を含んでいることを特徴としている。
【００３０】
上記の方法によれば本発明の一態様に係る表示装置と同様の効果を奏する。
【００３１】
本発明の一態様に係る表示装置の製造方法は、上記の課題を解決するために、本発明の一態様に係る表示装置を製造する製造方法であって、試験用表示装置が表示する画像のホワイトバランスの経時変化に基づいて、所定の階調におけるホワイトバランス調整値と駆動時間との間の対応関係を決定する決定工程と、上記決定工程にて決定された対応関係を、上記表示装置に記憶させる工程と、を含んでいることを特徴とする。
【００３２】
上記の構成によれば、本発明の一態様に係る表示装置の製造方法は、上記試験用表示装置を用いて、所定の階調におけるホワイトバランス調整値と、駆動時間との間の対応関係を決定し、当該対応関係を上記表示装置に記憶させる。よって、上記の製造方法によって製造された表示装置は、ホワイトバランスを適切に自動調整することができる。
【発明の効果】
【００３３】
本発明の一態様に係る表示装置、表示装置の変色補正方法、プログラム、および、記録媒体は、製造後に使用時間が経過することに伴って表示装置のホワイトバランスが変化する際に、当該ホワイトバランスの変化を抑制する効果を奏する。
【図面の簡単な説明】
【００３４】
【図１】本発明の一実施形態に係る表示装置の概略を示すブロック図である。
【図２】本発明の一実施形態に係る表示装置において、駆動時間の積算に関わる各ブロックを示す図である。
【図３】初期状態におけるホワイトバランス調整値を示す図である。
【図４】本発明の一実施形態に係るホワイトバランス調整方法の流れを示す図である。
【図５】試験用表示装置において、積算駆動時間が５，１０および１５時間の場合のホワイトバランス調整値を示す図である。
【図６】試験用表示装置におけるホワイトバランス調整値と、積算駆動時間との対応関係を示す図である。
【図７】本発明の一実施形態に係る表示装置が備えるメモリに記憶されているホワイトバランス補正ルックアップテーブルを示す図である。
【図８】積算駆動時間が１２時間である際のホワイトバランス補正値を示す図である。
【図９】積算駆動時間が１２時間である際の補正ホワイトバランス調整値を示す図である。
【図１０】試験用表示装置におけるホワイトバランス調整値と、積算駆動時間との対応関係を示す図である。
【発明を実施するための形態】
【００３５】
本発明の一実施形態に係る表示装置１０の構成について、図１および２を参照しながら説明する。
【００３６】
（表示装置１０の構成）
図１は、表示装置１０の概略を示すブロック図である。表示装置１０は、外部入力端子１１から入力されるストリームが表す映像を、映像表示部２１に表示するための装置である。図１には図示しないが、映像表示部２１は、バックライト２２、液晶パネル２３および複数の光学シートを備えている。バックライト２２は、映像表示部２１における光源である。液晶パネル２３は、複数の画素を備えている。それぞれの画素は、異なる色、例えば赤（Ｒ）、緑（Ｇ）および青（Ｂ）の光をそれぞれ透過するサブ画素を備えている。複数の光学シートは、液晶モジュールの視野角特性を向上させたり、正面方向の輝度を向上させたりするために設けられている光拡散シートおよびレンズシートなどである。
【００３７】
上記のストリームは、例えば、ＭＰＥＧ２およびＭＰＥＧ４などの標準規格に適合する
ストリームであるが、本実施形態はこれに限定されない。図１には、映像に関する処理を行うブロックのみを記載しているが、ストリームが音声を表すストリームを含んでいてもよいことは当然である。本明細書において、映像および音声を表すストリームを単にストリームと記載する。
【００３８】
入力フレーム処理部１２は、入力されたストリームを、映像を表す映像ストリーム、および、音声を表す音声ストリームに分離する。その上で、映像ストリームを映像復号部１３に出力する。なお、図示していないが、表示装置１０は、音声復号部、音声信号処理部、アンプおよびスピーカなど音声処理に関する各手段を備えていてもよい。また、表示装置１０は、音声ストリームを表示装置１０とは別個の音声再生装置に出力してもよい。音声ストリームの処理は、本発明のポイントと関係しないため以下において省略する。
【００３９】
映像復号部１３は、映像ストリームを映像データに復号する。映像信号処理部１４は、その映像データに対してＡ／Ｄ変換処理、ＹＩ分離処理、ＩＰ変換処理、マトリクス変換処理、ガンマ補正、および、その他の映像処理を必要に応じて適宜実行する。その結果として、映像信号処理部１４は、映像データから変換されたＲＧＢ信号をホワイトバランス調整部１５に出力する。以下において、ホワイトバランスのことを単にＷＢとも記載する。
【００４０】
（ＷＢ調整部１５）
ＷＢ調整部１５は、映像信号処理部１４から入力されるＲＧＢ信号に対してＷＢ調整を実行する調整手段である。この際、ＷＢ調整部１５は、映像表示部２１に表示する画像のＲＧＢ信号の階調値を、制御部１６によって導出されたＷＢ調整値を用いて調整する。制御部１６が導出するＷＢ調整値については後述する。
【００４１】
（制御部１６）
導出手段である制御部１６は、メモリ１８に記憶された所定の階調におけるＷＢ調整値と、積算駆動時間との間の予め定められた対応関係を表す各係数を参照する。また、制御部１６は、メモリ１８に記憶されている表示装置１０の積算駆動時間を参照する。制御部１６は、上記積算駆動時間、および、積算駆動時間との間の予め定められた対応関係を表す各係数から、当該積算駆動時間に対応するＷＢ補正値を導出する。
【００４２】
さらに、制御部１６は、メモリ１８に記憶された初期状態におけるＷＢ調整値に、導出したＷＢ補正値を加算することによって、当該積算駆動時間及び当該階調に対応するＷＢ調整値を導出する。初期状態におけるＷＢ調整値とは、例えばＷＢ調整装置が、製造直後の表示装置１０のＷＢ調整を実行することによって得られるＷＢ調整値である。
【００４３】
（カウンタ１７）
図２を参照しながら、カウンタ１７が積算する表示装置１０の駆動時間について説明する。カウンタ１７は、表示装置１０の使用時間を反映する指標として、バックライト２２の駆動時間を順次積算する。そして、所定の期間ごとに、メモリ１８に記憶されている積算駆動時間を順次更新する。以下において、バックライト２２の積算駆動時間をＴとも表記する。Ｔの単位は時間（Ｈ）である。
【００４４】
メモリ１８には、それまでの積算駆動時間が格納されている。この積算駆動時間は、初期状態におけるＷＢ調整が終了した時点においてＴ＝０（時間（Ｈ））としてもよい。または、製造ラインにおいて初めてバックライト２２が点灯された時点をＴ＝０（時間（Ｈ））としてもよい。
【００４５】
ユーザが表示装置１０を入手し、表示装置１０の電源を入れると、制御部１６は、バッ
クライトドライバ２０に「Ｈｉｇｈ」の制御信号を出力する（図２参照）。すると、バックライトドライバ２０は、バックライト２２に駆動電流を供給し、バックライト２２を点灯させる。
【００４６】
図２に示すように、バックライト２２を点灯するか否かを制御する制御信号は、カウンタ１７にも出力される。カウンタ１７は、当該制御信号が「Ｈｉｇｈ」である期間のみをバックライト２２の駆動時間として積算し、当該制御信号が「Ｌｏｗ」である期間は当該駆動時間として積算しない。そのうえで、カウンタ１７は所定の期間ごとに、カウンタ１７が積算した駆動時間をメモリ１８に記憶されている積算駆動時間に加算し、当該積算点灯時間を更新する。当該積算駆動時間を更新した際、カウンタ１７は、上記所定の期間に積算した点灯時間をリセットしてもよい。
【００４７】
（バックライト２２）
表示装置１０が備えるバックライト２２は、発光ダイオード（ＬＥＤ）であってもよいし、冷陰極管（ＣＣＦＬ）であってもよい。また、バックライト２２は、ＬＥＤとＣＣＦＬとを組み合わせることによって構成されてもよい。また、バックライト２２を駆動する駆動電流は、どのような波形の電流であってもよい。
【００４８】
表示装置１０の輝度は、ユーザの好み、および、表示装置１０が使用される環境などに応じて変更される可能性がある。表示装置１０は、その輝度を制御するために、バックライト２２の輝度を制御する構成であってもよい。
【００４９】
上記駆動電流がパルス電流である場合、表示装置１０は、上記駆動電流のデューティー比を制御することによって、バックライト２２の輝度を制御してもよい。デューティー比が小さい駆動電流を用いてバックライト２２を駆動すると、デューティー比が１の駆動電流を用いてバックライト２２を駆動する場合と比較して、ＷＢの経時変化の進行速度は遅くなる。このような場合、カウンタ１７は、バックライト２２の点灯時間を積算する際にデューティー比を考慮してもよい。
【００５０】
上記駆動電流が定常電流である場合、表示装置１０は、上記駆動電流の電流値を制御することによって、バックライト２２の輝度を制御してもよい。小さい電流値によってバックライト２２を駆動すると、大きい電流値によってバックライト２２を駆動する場合と比較して、ＷＢの経時変化の進行速度は遅くなる。このような場合、カウンタ１７は、駆動電流値の閾値を備えていてもよい。カウンタ１７は、駆動電流値と当該閾値との大小関係を比較し、駆動電流値が当該閾値を上回ればその時間を点灯時間として積算すればよい。
【００５１】
（ＷＢ調整方法）
次に、本発明の一実施形態に係るＷＢ調整方法について、図３〜１０を参照しながら説明する。このＷＢ調整方法は、初期状態におけるＷＢ調整工程、ＷＢ補正ルックアップテーブル（ＬＵＴ）算出工程、および、表示装置１０における内部処理工程からなる。ＷＢ補正ＬＵＴ算出工程は、後述するＷＢ調整装置が、任意の表示装置１０を試験用表示装置として用いて行う工程である。同様の部品により構成され、同様の製造工程によって製造される表示装置であれば、各表示装置におけるＷＢの経時変化は同様の傾向を有する。したがって、例えば同一型番の表示装置同士であれば、積算駆動時間とＷＢ調整値との対応関係を共通して用いることが可能である。すなわち、表示装置１０を代表する試験用表示装置を用いて決定された対応関係を示す情報であるＷＢ補正ＬＵＴを用いて、表示装置１０における経時変化に伴うＷＢ調整を実行可能である。
【００５２】
個々の表示装置１０のメモリ１８は、ＷＢ補正ＬＵＴ算出工程によって算出されたＷＢ補正ＬＵＴを記憶している。表示装置１０における内部処理工程は、表示装置１０の積算
駆動時間が増加することにともなうＷＢの変化を調整する工程である。
【００５３】
（初期状態におけるＷＢ調整工程）
図３は、各階調における初期状態のＷＢ調整値を示す図である。初期状態におけるＷＢ調整値について、以下に説明する。
【００５４】
表示装置１０は、ＲＧＢの各色について０〜２５５階調の２５６階調を表示可能であるとする。製造直後の表示装置１０が表示する画像のＷＢは、映像表示部２１が有する特性そのもののＷＢとなっているため、製造者が設計段階において意図したＷＢからずれている可能性がある。製造直後の表示装置１０が表示する画像のＷＢを、製造者が意図したＷＢに調整する工程が、初期状態におけるＷＢ調整工程である。初期状態におけるＷＢ調整は、表示装置１０が表示する画像を検出し、当該画像のＷＢを算出可能な色度センサーを備えるＷＢ調整装置が行う。ＷＢ調整装置は、表示装置１０に接続されており、映像ドライバ１９に供給されるＲＧＢ信号の各色における階調値を任意に変更することができる。
【００５５】
より具体的には、ＷＢ調整装置は、映像表示部２１が所定の階調の無彩色を表示するように映像信号処理部１４を制御する。ここでは、所定の階調値をＶ１として説明する。例えば、映像表示部２１にＶ１階調の無彩色を表示させる場合、ＷＢ調整装置は、映像信号処理部１４がＲ、ＧおよびＢの階調値がそれぞれＶ１階調のＲＧＢ信号を出力するように映像信号処理部１４を制御する。その結果、映像表示部２１は、Ｒ、ＧおよびＢの階調値が（Ｖ１，Ｖ１，Ｖ１）の色を表示する。以下において、Ｒ、ＧおよびＢの階調値のことを単にＲＧＢ階調値とも表現する。
【００５６】
ＷＢ調整装置が備える色度センサーは、ＲＧＢ階調値が（Ｖ１，Ｖ１，Ｖ１）の色を検出し、当該色の色度を算出する。本実施形態では、ＷＢ調整装置は、検出した色のｘｙ色度を算出するとして説明する。すなわち、ＷＢ調整装置は、初期状態における色度（ｘｉ，ｙｉ）を算出する。
【００５７】
一方、製造者は、表示装置１０が無彩色を表示する際の目標色度を（ｘｔ，ｙｔ）と定めている。ＷＢ調整装置は、（ｘｉ，ｙｉ）および（ｘｔ，ｙｔ）を比較し、両者の間に差がある場合には、映像信号処理部１４が出力するＲＧＢ信号の各階調値を調整する。ＷＢ調整装置が備える色度センサーは、ＲＧＢ信号の各階調値を調整した後の色を検出し、当該色の色度を算出する。そして、再び当該色度と（ｘｔ，ｙｔ）とを比較する。ＷＢ調整装置は、上述した（１）色の検出、（２）当該色の色度の算出、（３）当該色の色度と目標色度との比較、および、（４）ＲＧＢ信号の各階調値の調整の各工程を、表示装置１０が表示する無彩色の色度と目標色度とが一致するまで繰り返す。
【００５８】
このようにして、ＷＢ調整装置は、表示装置１０が表示するＶ１階調の無彩色のＷＢ調整を実行する。その結果として得られるＶ１階調におけるＲＧＢ信号の各階調値を、ＷＢ調整値（Ｒ１（Ｔ），Ｇ１（Ｔ），Ｂ１（Ｔ））と表記する。また、初期状態はＴ＝０であるので、初期状態におけるＶ１階調のＷＢ調整値は（Ｒ１（０），Ｇ１（０），Ｂ１（０））である（図３参照）。
【００５９】
上記所定の階調は１つの階調でもよいが、表示装置１０が表示する画像の表示品位を向上させるためには複数の階調であることが好ましい。本実施形態では、図３に示すようにＶ１からＶ６までの６階調においてＷＢ調整を実行するものとする。ここでＴは積算駆動時間なので、図３に示すとおり初期状態における各階調は、Ｖ１＿（０）〜Ｖ６＿（０）と表記される。
【００６０】
ＷＢ調整装置は、続いてＶ２＿（０）からＶ６＿（０）の各階調値についても初期状態
におけるＷＢ調整を行う。このようにして得られるＶ１＿（０）〜Ｖ６＿（０）の各階調における初期状態のＷＢ調整値を図３に示す。ＷＢ調整装置は、図３に示す初期状態におけるＷＢ調整値を、メモリ１８に記憶させる。
【００６１】
（ＷＢ補正ＬＵＴ算出工程）
次に、図４〜８を参照しながらＷＢ補正ＬＵＴ算出工程について説明する。図４は、ＷＢ補正ＬＵＴ算出工程、および、表示装置１０における内部処理工程の流れを示す図である。本実施形態において、ＷＢ調整装置が、ＷＢ補正ＬＵＴ算出工程を実行する（図４参照）。
【００６２】
ＷＢ調整装置は、積算駆動時間が、所定の積算駆動時間達するたびに、所定の各階調（Ｖ１＿（Ｔ）〜Ｖ６＿（Ｔ））において表示装置１０が表示する画像のＷＢを調整する。図５は、Ｔ＝５、１０および１５Ｈの各積算駆動時間において、ＷＢ調整装置が導出したＷＢ調整値を記載した表を示す図である。ＷＢ調整装置が実行するＷＢ調整の方法は、初期状態におけるＷＢ調整工程に記載した方法と同様である。
【００６３】
表示装置１０および試験用表示装置が表示する画像のＷＢに関して、発明者らは、経験的に以下の知見を得ている。
・ＷＢがバックライト点灯時間に依存して変化するのは、製造直後から数十時間の時間領域である。
・ＷＢ調整値は、積算駆動時間が増加するに従って一定値に漸近する。
したがって、所定の期間にわたってＷＢ調整装置が試験用表示装置のＷＢ調整を行い、積算駆動時間に対するＲＧＢ各色のＷＢ調整値を算出することによって、ＷＢ調整装置は、積算駆動時間とＷＢ調整値との対応関係を示す曲線を導出することが可能である。
【００６４】
図６は、所定の階調の１つであるＶ６＿（Ｔ）を例にして、Ｒ、ＧおよびＢにおけるＷＢ調整値であるＲ６＿（Ｔ）、Ｇ６＿（Ｔ）、および、Ｂ６＿（Ｔ）を、積算駆動時間に対してプロットした図である。０≦Ｔ≦１５の時間領域において、赤のＷＢ調整値であるＲ６＿（Ｔ）が菱形印で、緑のＷＢ調整値であるＧ６＿（Ｔ）が四角印で、そして、青のＷＢ調整値であるＢ６＿（Ｔ）が三角印でそれぞれプロットされている。
【００６５】
ＷＢ調整装置は、さらに、Ｒ６＿（Ｔ）、Ｇ６＿（Ｔ）およびＢ６＿（Ｔ）の各点を、それぞれ積算駆動時間を変数とする多項式にて近似し、ＷＢ調整値と積算駆動時間とを対応づける曲線を導出する。本実施形態において、上記多項式として二次の多項式を用いるが、上記多項式の次数はこれに限定されない。
【００６６】
図６には、ＷＢ調整装置が、Ｒ６＿（０）、Ｒ６＿（５）、Ｒ６＿（１０）およびＲ６＿（１５）の各点を二次多項式にて近似して得た曲線をＲ６（Ｔ）として示す。同様に、Ｇ６＿（０）、Ｇ６＿（５）、Ｇ６＿（１０）およびＧ６＿（１５）の各点を二次多項式にて近似して得た曲線をＧ６（Ｔ）として示し、Ｂ６＿（０）、Ｂ６＿（５）、Ｂ６＿（１０）およびＢ６＿（１５）の各点を二次多項式にて近似して得た曲線をＢ６（Ｔ）として示す。また、Ｒ６（Ｔ）、Ｇ６（Ｔ）およびＢ６（Ｔ）を、（１）式、（２）式および（３）式として以下に示す。このように、Ｒ６（Ｔ）、Ｇ６（Ｔ）およびＢ６（Ｔ）は、Ｔを変数とする二次関数であるとも表現できる。
Ｒ６（Ｔ）＝ａ６Ｒ×Ｔ２−ｂ６Ｒ×Ｔ＋ＣＲ  ・・・（１）
Ｇ６（Ｔ）＝ａ６Ｇ×Ｔ２−ａ６Ｇ×Ｔ＋ＣＧ  ・・・（２）
Ｂ６（Ｔ）＝ａ６Ｂ×Ｔ２−ａ６Ｂ×Ｔ＋ＣＢ  ・・・（３）
ここで、各関数におけるＣＲ、ＣＧおよびＣＢは、各関数の０次の項でありｙ切片である。ＣＲ、ＣＧおよびＣＢは、図３に示す所定の階調（Ｖ６＿０）におけるＲ６＿（０）、Ｇ６＿（０）およびＢ６＿（０）、すなわち初期状態のＷＢ調整値にほぼ等しい。
【００６７】
ここでは、ＷＢ調整装置が、所定の階調であるＶ６＿（Ｔ）におけるＲＧＢ各色のＷＢ調整値を二次多項式によって近似し、二次関数Ｒ６（Ｔ）、Ｇ６（Ｔ）およびＢ６（Ｔ）を導出することを説明した。Ｖ６＿（Ｔ）の場合と同様に、ＷＢ調整装置は、Ｖ１＿（Ｔ）対してＲＧＢ各色のＷＢ調整値を二次多項式によって近似し、二次関数Ｒ１（Ｔ）、Ｇ１（Ｔ）およびＢ１（Ｔ）を導出し、Ｖ２＿（Ｔ）対してＲＧＢ各色のＷＢ調整値を二次多項式によって近似し、二次関数Ｒ２（Ｔ）、Ｇ２（Ｔ）およびＢ２（Ｔ）を導出し、Ｖ３＿（Ｔ）対してＲＧＢ各色のＷＢ調整値を二次多項式によって近似し、二次関数Ｒ３（Ｔ）、Ｇ３（Ｔ）およびＢ３（Ｔ）を導出し、Ｖ４＿（Ｔ）対してＲＧＢ各色のＷＢ調整値を二次多項式によって近似し、二次関数Ｒ４（Ｔ）、Ｇ４（Ｔ）およびＢ４（Ｔ）を導出し、Ｖ５＿（Ｔ）対してＲＧＢ各色のＷＢ調整値を二次多項式によって近似し、二次関数Ｒ５（Ｔ）、Ｇ５（Ｔ）およびＢ５（Ｔ）を導出する。
【００６８】
（ＷＢ補正ＬＵＴ）
次に、図６および７を参照しながら、ＷＢ調整装置がＷＢ補正ＬＵＴを算出方法について説明する。図７はＷＢ補正ＬＵＴを示す図である。
【００６９】
ここでも、所定の階調であるＶ６＿（Ｔ）を例に挙げて説明する。ＲＧＢ各色のＷＢ調整値およびＴの対応関係を表すＲ６（Ｔ）、Ｇ６（Ｔ）およびＢ６（Ｔ）において、Ｔに依存する項は、Ｔの２次および１次に関する項である（図６ならびに（１）式、（２）式および（３）式参照）。そこで、赤のＷＢ調整値を表す関数Ｒ６（Ｔ）におけるＴの２次および１次に関する項をΔＲ６（Ｔ）と定義する。ΔＲ６（Ｔ）は、Ｒ６（Ｔ）から０次の項であるＣＲを引いたものであり（４）式で表される。
ΔＲ６（Ｔ）＝ａ６Ｒ×Ｔ２−ｂ６Ｒ×Ｔ  ・・・（４）
赤と同様に、緑のＷＢ調整値に関してＧ６（Ｔ）におけるＴの２次および１次に関する項をΔＧ６（Ｔ）と定義し、青のＷＢ調整値に関してＢ６（Ｔ）におけるＴの２次および１次に関する項をΔＢ６（Ｔ）と定義する。ΔＧ６（Ｔ）は、Ｇ６（Ｔ）から０次の項であるＣＧを引いたものであり（５）式で表される。ΔＢ６（Ｔ）は、Ｂ６（Ｔ）から０次の項であるＣＢを引いたものであり（６）式で表される。
ΔＧ６（Ｔ）＝ａ６Ｇ×Ｔ２−ａ６Ｇ×Ｔ  ・・・（５）
ΔＢ６（Ｔ）＝ａ６Ｂ×Ｔ２−ａ６Ｂ×Ｔ  ・・・（６）
一例として、ΔＧ６（Ｔ）を図６に矢印で示す。これらのΔＲ６（Ｔ）、ΔＧ６（Ｔ）およびΔＢ６（Ｔ）を、以下においてＷＢ補正値と表現する。
【００７０】
ＷＢ調整装置は、ΔＲ６（Ｔ）の二次の係数（ａ６Ｒ）および一次の係数（ｂ６Ｒ）を、赤のＷＢ調整値と積算駆動時間との対応関係を表す係数としてＷＢ補正ＬＵＴに格納する（図７参照）。同様に、ＷＢ調整装置は、ΔＧ６（Ｔ）の二次の係数（ａ６Ｇ）、および、一次の係数（ｂ６Ｇ）を、緑のＷＢ調整値と積算駆動時間との対応関係を表す係数としてＷＢ補正ＬＵＴに格納し、ΔＢ６（Ｔ）の二次の係数（ａ６Ｂ）、および、一次の係数（ｂ６Ｂ）を、青のＷＢ調整値と積算駆動時間との対応関係を表す係数としてＷＢ補正ＬＵＴに格納する。
【００７１】
Ｖ６＿（Ｔ）以外の各階調値に関しても、ＷＢ調整装置は、ＲＧＢ各色のＷＢ調整値と、積算駆動時間との対応関係を表す曲線の二次の係数および一次の係数を、ＷＢ補正ＬＵＴに格納する。具体的には、所定の階調であるＶ１＿（Ｔ）におけるＲＧＢ各色のＷＢ調整値と、積算駆動時間との対応関係を表す曲線であるＲ１（Ｔ）、Ｇ１（Ｔ）およびＢ１（Ｔ）における二次の係数および一次の係数をＷＢ調整ＬＵＴに格納する。図７に示すように、Ｖ１階調における各係数は、ａ１Ｒ、ｂ１Ｒ、ａ１Ｇ、ｂ１Ｇ、ａ１Ｂ、および、ｂ１Ｂ＝である。同様に、ＷＢ調整装置は、Ｖ２＿（Ｔ）、Ｖ３＿（Ｔ）、Ｖ４＿（Ｔ）およびＶ５＿（Ｔ）の各階調値についても、二次の係数（ａＲ、ａＧ、ａＢ）および一次
の係数（ｂＲ、ｂＧ、ｂＢ）をＷＢ調整ＬＵＴに格納する。
【００７２】
以上のように、ＷＢ調整装置は、ＷＢ補正ＬＵＴを算出する。なお、図７において、所定の６階調に対するΔＲ１（Ｔ）、ΔＲ２（Ｔ）、ΔＲ３（Ｔ）、ΔＲ４（Ｔ）、ΔＲ５（Ｔ）およびΔＲ６（Ｔ）をまとめてΔＲ（Ｔ）と表記している。また、ΔＧ１（Ｔ）、ΔＧ２（Ｔ）、ΔＧ３（Ｔ）、ΔＧ４（Ｔ）、ΔＧ５（Ｔ）およびΔＧ６（Ｔ）をまとめてΔＧ（Ｔ）と表記し、ΔＢ１（Ｔ）、ΔＢ２（Ｔ）、ΔＢ３（Ｔ）、ΔＢ４（Ｔ）、ΔＢ５（Ｔ）およびΔＢ６（Ｔ）をまとめてΔＢ（Ｔ）と表記している。
【００７３】
（表示装置１０へのＷＢ補正ＬＵＴ格納）
ＷＢ調整装置は、上記のように算出したＷＢ補正ＬＵＴを、表示装置１０が備えるメモリ１８に記憶させる。
【００７４】
（表示装置１０における内部処理工程）
図２、３、４、９および１０を参照しながら、表示装置１０における内部処理工程について説明する。
【００７５】
表示装置１０のメモリ１８には、製造工程において設定された、初期状態におけるＷＢ調整値が格納されている。この初期状態におけるＷＢ調整値は、個々の表示装置１０に固有のＷＢ調整値である。したがって、各表示装置１０において、各階調における各色のＷＢ調整値Ｒ（０）、Ｇ（０）およびＢ（０）は異なる可能性がある。なお、本実施形態では、表示装置１０の初期状態におけるＷＢ調整値が図３のとおりであるとして、表示装置１０における内部処理工程を説明する。
【００７６】
図３に示すように、内部処理工程の第１ステップとして、制御部１６はバックライト点灯時間（積算駆動時間）を導出する。この際、図２に示すように、制御部１６はメモリ１８が記憶しているバックライト２２の積算駆動時間を取得する。
【００７７】
次に、制御部１６は、取得したバックライト２２の積算駆動時間から、ＷＢ調整を行うか否かを判定する。このＷＢ調整を行うか否かを判定する際の判定基準は、製造者が任意に定めればよい。判定基準の一例としては、バックライト２２の積算駆動時間に応じて、制御部１６が２時間ごとにＷＢ調整を実行するように構成されていてもよい。また、単に一定時間ごとにＷＢ調整を実行する構成だと、ユーザがコンテンツを視聴している最中にＷＢ調整が実行される可能性がある。このような場合、ＷＢ調整により表示装置１０が表示する画像における色味の変化を、ユーザが視認する可能性がある。そこで、上記判定基準を、たとえば以下の２つとしてもよい。
（ｉ）積算駆動時間が、所定の時間（例えば２時間）増加すること。
（ｉｉ）ユーザが入力信号を切り替えること。
ここで、ユーザが入力信号を切り替えるとは、たとえばユーザが視聴するチャンネルを切り替えることであってもよい。または、視聴する入力信号を、地上デジタル放送から、ＢＳ放送またはＣＳ放送に切り替えることであってもよい。さらには、放送波によるコンテンツから、Ｂｌｕ-ｒａｙ  Ｄｉｓｋなど異なる記録媒体に記録されているコンテンツに切り替えることであってもよい。また、上記２つの判定基準を共に満たす場合に、制御部１６は、ＷＢ調整を行うように構成されていてもよい。上記の構成によれば、表示装置１０においてＷＢ調整が実行された場合でも、ユーザがＷＢ調整が実行されたことを認識する可能性は低い。また、制御部１６は、表示装置１０の電源がＯＮまたはＯＦＦに切り替えられる際に、ＷＢ調整を実行する構成でもよい。以下に説明するＷＢ補正ＬＵＴの反映、および、補正ＷＢ調整値の算出は、制御部１６がＷＢ調整を行うと判定した場合に行われる。すなわち、表示装置１０におけるＷＢ調整は、制御部１６の判定に従って自動的に行われる。
【００７８】
以下では、バックライト２２の積算点灯時間が１２時間（Ｔ＝１２Ｈ）に達し、制御部１６がＷＢ調整を行うと判定した場合を例として説明する。
【００７９】
（ＷＢ補正ＬＵＴの反映）
上記判定基準が満たされ、制御部１６がＷＢ調整を行うと判定すると、制御部１６は、内部処理の第２ステップとして、取得したバックライト２２の積算駆動時間をＷＢ調整ＬＵＴに反映し、ＷＢ補正値を導出する（図４参照）。より具体的には、制御部１６は、メモリ１８を参照し、ＷＢ補正ＬＵＴに格納されている二次の係数および一次の係数を取得する。さらに、制御部１６は、それぞれの二次の係数および一次の係数、ならびに、Ｔ＝１２Ｈを用いて、図８に示すように各階調およびＲＧＢ各色に対応するＷＢ補正値であるΔＲ（１２）、ΔＧ（１２）およびΔＢ（１２）をそれぞれ導出する。
【００８０】
図８を参照しながら、所定の階調の１つであるＶ６階調を例にして説明する。赤について説明すると、ΔＲ６（Ｔ）において、二次の係数はａ６Ｒであり、一次の係数はｂ６Ｒである。よって、制御部１６は、図８に示すように、ａ６Ｒ×１２２−ｂ６Ｒ×１２＝ΔＲ６（１２）を導出する。緑について説明すると、ΔＧ６（Ｔ）において、二次の係数はａ６Ｇであり、一次の係数はｂ６Ｇである。よって、制御部１６は、図８に示すように、ａ６Ｇ×１２２−ｂ６Ｇ×１２＝ΔＧ６（１２）を導出する。青について説明すると、ΔＢ６（Ｔ）において、二次の係数はａ６Ｂであり、一次の係数はｂ６Ｂである。よって、制御部１６は、図８に示すように、ａ６Ｂ×１２２−ｂ６Ｂ×１２＝ΔＢ６（１２）を導出する。
【００８１】
制御部１６は、Ｖ６以外の所定の階調であるＶ１からＶ５についても同様の計算を行い、図８に示す各ＷＢ補正値を導出する。
【００８２】
（補正ＷＢ調整値の算出）
内部処理工程の第３ステップとして、制御部１６は、Ｔ＝１２における補正ＷＢ調整値を算出する（図４参照）。図９に示すように、制御部１６は、初期状態におけるＷＢ調整値と、上記ＷＢ補正値とを加算することによって、Ｔ＝１２における補正ＷＢ調整値を導出する。制御部１６は、導出した補正ＷＢ調整値をＷＢ調整部１５に出力する。ＷＢ調整部１５は、当該補正ＷＢ調整値を用いて、映像信号処理部１４から入力されるＲＧＢ信号の階調値を調整し、映像ドライバ１９に出力する。
【００８３】
以上のように、表示装置１０は、試験用表示装置によってあらかじめ定められたＷＢ調整値と、表示装置１０の積算駆動時間との対応関係を示すＷＢ補正ＬＵＴを、メモリ１８に記憶している。そのうえで、制御部１６は、初期状態におけるＷＢ調整値、ならびに、積算駆動時間およびＷＢ補正ＬＵＴを用いて、補正ＷＢ調整値を導出する。ＷＢ調整部１５は、当該補正ＷＢ調整値を用いてＲＧＢ信号の階調値を調整する。
【００８４】
したがって、表示装置１０は、製造後の経時変化に伴って表示装置が表示する画像のＷＢが変化する際に、バックライトの輝度、および、分光分布を変化させることなく当該ＷＢの変化を抑制することが可能である。すなわち、表示装置１０が奏する当該効果は、表示装置１０が備えるバックライトが単色バックライトであるか、多色バックライトであるかには依存しない。
【００８５】
（積算駆動時間が極値を超えた場合）
以上、積算駆動時間がＴ＝１２Ｈである場合を例として、表示装置１０における内部処理工程を説明した。本実施形態において、ＷＢ調整値と積算駆動時間との対応関係を表す曲線として二次関数を用いている。したがって、Ｒ６（Ｔ）、Ｇ６（Ｔ）およびＢ６（Ｔ
）に代表されるそれぞれの所定の階調における曲線は、二次関数の係数によって決定される極値、本実施形態においてより詳しくは極小値を有する。
【００８６】
図１０は、所定の階調であるＶ６におけるホワイトバランス調整値と、積算駆動時間との対応関係を示す図である。図１０に示すように、Ｒ６（Ｔ）の極小値をＲ６ｍｉｎ、Ｇ６（Ｔ）の極小値をＧ６ｍｉｎ、そして、Ｂ６（Ｔ）の極小値をＢ６ｍｉｎと定義する。上述の（１）式、（２）式および（３）式を変形することによって、各極小値に対応するＴを導出可能である。例えば、（１）式のＲ６（Ｔ）を変形することによって、極小値Ｒ６ｍｉｎに対応する時間であるＴＲ６ｍｉｎを、ＴＲ６ｍｉｎ＝ｂ６Ｒ／（２×ａ６Ｒ）と導出することが可能である。すなわち、Ｔ＜ＴＲ６ｍｉｎの領域においてＲ６（Ｔ）は単調減少し、Ｔ＞ＴＲ６ｍｉｎの領域においてＲ６（Ｔ）は単調増加する。そこで、積算駆動時間がＴ＞ＴＲ６ｍｉｎの関係を満たす場合、導出手段である制御部１６は、極小値であるＲ６ｍｉｎを赤に対するＷＢ調整値として導出する。
【００８７】
同様に（２）式のＧ６（Ｔ）を変形すると、極小値に対応する時間であるＴＧ６ｍｉｎは、ＴＧ６ｍｉｎ＝ｂ６Ｇ／（２×ａ６Ｇ）である。したがって、積算駆動時間がＴ＞ＴＧ６ｍｉｎの関係を満たす場合、制御部１６は、極小値であるＧ６ｍｉｎを緑に対するＷＢ調整値として導出する。また、（３）式のＢ６（Ｔ）を変形すると、極小値に対応する時間であるＴＢ６ｍｉｎは、ＴＢ６ｍｉｎ＝ｂ６Ｂ／（２×ａ６Ｂ）である。したがって、積算駆動時間がＴ＞ＴＢ６ｍｉｎを満たす場合、制御部１６は、極小値であるＢ６ｍｉｎを青に対するＷＢ調整値として導出する。
【００８８】
本実施形態においては、Ｒ（Ｔ）、Ｇ（Ｔ）およびＢ（Ｔ）を二次の多項式で近似することによって、ＲＧＢ各色のＷＢ調整値と、積算駆動時間との対応関係を表す曲線を導出している。しかし、当該曲線を導出するための近似に用いる数式は二次の多項式に限定されない。二次より次数の大きな多項式を当該近似に用いてもよいし、多項式とは異なる数式、例えば指数関数を当該近似に用いてもよい。
【００８９】
（所定の階調値以外の階調値におけるＷＢ調整）
図９に示す補正ＷＢ調整値は、ＲＧＢ各色に対するＷＢ調整値を所定の６階調について導出したものである。表示装置１０において、所定の６階調以外の階調に対応する補正ＷＢ調整値は、所定の６階調に対応する補正ＷＢ調整値を内挿、または、外挿することによって導出可能である。なお、以下に説明する所定の６階調以外の階調に対応する補正ＷＢ調整値は、制御部１６が導出し、ＷＢ調整部１５に出力してもよい。または、制御部１６は、所定の６階調に対応する補正ＷＢ調整値のみをＷＢ調整部１５に出力し、ＷＢ調整部１５が、所定の６階調以外の階調に対応する補正ＷＢ調整値を導出する構成でもよい。以下において、制御部１６が、所定の６階調以外の階調に対応する補正ＷＢ調整値を導出する構成であるとして説明する。
【００９０】
図９に示す赤の補正ＷＢ調整値であるＲ（１２）は、入力階調を変数ｘとする関数ｙ（ｘ）として表現可能である。そこで、入力階調をｘ、そして、Ｒ（１２）をｙとして、（入力階調，Ｒ（１２））の形式で表記する。すなわち、Ｖ１からＶ６の各６階調における赤の補正ＷＢ調整値は、それぞれ（Ｖ１，Ｒ１（１２））、（Ｖ２，Ｒ２（１２））、（Ｖ３，Ｒ３（１２））、（Ｖ４，Ｒ４（１２））、（Ｖ５，Ｒ５（１２））、および、（Ｖ６，Ｒ６（１２））と表記される。これらの各補正ＷＢ調整値をｘｙ座標上の点とみなし、隣接する各点を一次関数によって内挿、または、外挿することによって、全ての階調における補正ＷＢ調整値を導出可能である。
【００９１】
たとえば、（Ｖ１，Ｒ１（１２））および（Ｖ２，Ｒ２（１２））の２点を通る一次関数に、Ｖ１階調からＶ２階調の範囲に含まれる任意の階調値を代入することによって、当
該階調値における補正ＷＢ調整値が導出される。なお、上記一次関数を、ｘが小さい方向へ外挿することによって、０階調からＶ１階調の範囲に含まれる階調値に対応する補正ＷＢ調整値を導出可能である。なお、上記の２点（Ｖ１，Ｒ１（１２））および（Ｖ２，Ｒ２（１２））によっては、上記一次関数のｘ切片が０階調からＶ１階調の範囲内に存在する可能性もある。そのような場合は、例えば当該ｘ切片の値を下回る階調に対して、補正ＷＢ調整値＝０を割り当てればよい。
【００９２】
Ｖ２階調より高い階調値に対応する補正ＷＢ調整値についても、同様に一次関数を用いて内挿、または、外挿することによって導出可能である。また、緑および青の補正ＷＢ調整値についても、同様の手法により導出可能である。
【００９３】
なお、所定の６階調に対応する補正ＷＢ調整値を内挿、または、外挿する関数は一次関数に限られない。たとえば、所定の６階調に対応する補正ＷＢ調整値を任意の関数系によって近似する。その結果として得られた曲線を用いて、所定の６階調以外の階調に対応する補正ＷＢ調整値を導出してもよい。
【００９４】
（テレビジョン受像機）
本発明の一実施形態に係るテレビジョン受像機は、表示装置１０を備えている。テレビジョン受像機が表示装置１０を備えていることによって、表示装置１０が、単色バックライトを備える場合であっても、多色バックライトを備える場合であってもホワイトバランスの調整を適切、かつ、自動的に行うことができる。
【００９５】
（付記事項）
上述した表示装置１０の各ブロックは、集積回路（ＩＣチップ）上に形成された論理回路によってハードウェア的に実現してもよいし、ＣＰＵ（Central Processing Unit）を用いてソフトウェア的に実現してもよい。
【００９６】
後者の場合、上記装置は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の記憶装置（記録媒体）などを備えている。そして、本発明の目的は、上述した機能を実現するソフトウェアである上記各装置の制御プログラムのプログラムコード（実行形式プログラム、中間コードプログラム、ソースプログラム）をコンピュータ読み取り可能に記録した記録媒体を、上記装置に供給し、そのコンピュータ（またはＣＰＵやＭＰＵ）が記録媒体に記録されているプログラムコードを読み出し実行することによっても、達成可能である。
【００９７】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００９８】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、Ｕ
ＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１００】
本発明は、映像または画像を表示する表示装置、表示装置の変色補正方法、プログラム、および、記録媒体として幅広く利用できる。
【符号の説明】
【０１０１】
１０  表示装置
１１  外部入力端子
１２  入力フレーム処理部
１３  映像復号部
１４  映像信号処理部
１５  ＷＢ調整部
１６  制御部
１７  カウンタ
１８  メモリ
１９  映像ドライバ
２０  バックライトドライバ
２１  映像表示部
【図１】
2013210564.tif 000003
【図２】
2013210564.tif 000004
【図３】
2013210564.tif 000005
【図４】
2013210564.tif 000006
【図５】
2013210564.tif 000007
【図６】
2013210564.tif 000008
【図７】
2013210564.tif 000009
【図８】
2013210564.tif 000010
【図９】
2013210564.tif 000011
【図１０】
2013210564.tif 000012